(57)【要約】      （修正有）【課題】カッター等の刃物を用いることなく、映像表示装置を手軽に作れることができる映像表示装置組立キット（以下、単にキットとも称する）を提供する。【解決手段】映像として三次元映像を表示させる表示装置としてのスマートフォン５の画面５０の略中心に載せられ、透明なプラスチックで形成されると共に、その映像を反射させるスクリーン部２と、スクリーン部２を収容する空間３０を形成する上面３１、両側面３２，３３及び背面３４を備え、且つ、スマートフォン５の画面５０を臨ませるために底面領域３５及びスクリーン部２で反射された映像を臨ませる正面領域３６が切欠けられる暗室部３を備えている。【選択図】図１
0003203294.tif 000002
【実用新案登録請求の範囲】
【請求項１】
映像を表示させる表示装置の画面の略中心に載せられ、透光材で形成されると共に、前記映像を反射させるスクリーン部と、前記スクリーン部を収容する空間が形成される面を備え、且つ、前記表示装置の画面を臨ませる面及び前記スクリーン部で反射された映像を放射させる面が切欠かれる暗室部からなる映像表示装置を組立たてるキットであって、
前記スクリーン部は、前記画面に載せられる頂部開口を備えた略四角錘体を形成させる台形状の各側面と、各側面の各斜辺に沿って折られた後、接続する斜辺同士を係合させる接続片及びこれを受入れる受入片を備え、
前記暗室部は、前記各側面の何れかの底辺と共通する共通辺、この共通辺に隣接する各側辺及び前記共通辺に対向する対向辺を備えた上面と、前記各側辺に沿って折られる各側面と、前記対向辺に沿って折られる背面と、この背面と各側面を係合させる接続片及びこれを受け入れる受入片を備えている映像表示装置の組立キット。
【考案の詳細な説明】
【技術分野】
【０００１】
本考案は、スマートフォン等の画面に表示された映像を３Ｄ映像のように視聴することができる映像表示装置組立キットに関するものである。
【背景技術】
【０００２】
スマートフォンの画面上の三次元動画等が空間に浮かんで見えるような映像を作り出すことができる映像表示装置が、インターネット上で各種紹介されている。例えば、非特許文献１のサイトでは、同装置の作り方が詳細に開示されている。
【０００３】
しかし、同サイトで紹介されている同装置の作り方は、方眼紙、ＣＤケース、接着剤等を予め揃えて、それらの材料をカッター等の刃物を用いて加工するもので、作成に手間がかかるものであった。
刃物等の取り扱いに不慣れな者には、その作成作業には危険を伴うものである。
【先行技術文献】
【非特許文献】
【０００４】
【非特許文献１】http://francepresent.com/3d-holograms/
【考案の概要】
【考案が解決しようとする課題】
【０００５】
そこで、本考案は、カッター等の刃物を用いることなく、映像表示装置を手軽に作れることができる映像表示装置組立キット（以下、単にキットとも称する）を提供することを目的とする。
【課題を解決するための手段】
【０００６】
上記課題を解決するため、本考案は、映像を表示させる表示装置の画面の略中心に載せられ、透光材で形成されると共に、前記映像を反射させるスクリーン部と、前記スクリーン部を収容する空間が形成される面を備え、且つ、前記表示装置の画面を臨ませる面及び前記スクリーン部で反射された映像を放射させる面が切欠かれる暗室部からなる映像表示装置を組立たてるキットであって、前記スクリーン部は、前記画面に載せられる頂部開口を備えた略四角錘体を形成させる台形状の各側面と、各側面の各斜辺に沿って折られた後、接続する斜辺同士を係合させる接続片及びこれを受入れる受入片を備え、前記暗室部は、前記各側面の何れかの底辺と共通する共通辺、この共通辺に隣接する各側辺及び前記共通辺に対向する対向辺を備えた上面と、前記各側辺に沿って折られる各側面と、前記対向辺に沿って折られる背面と、この背面と各側面を係合させる接続片及びこれを受け入れる受入片を備えているキットとした（請求項１に記載の考案）。
【０００７】
前記映像には、二次元映像及び視聴者が立体感を視認できる三次元映像が含まれる。
前記表示装置としては、携帯端末の多機能携帯電話としてのスマートフォンが典型的なものであるが、その画面に映像を表示できるものであれば、スマートフォンに限定されるものではない。
前記透光材とは、光を通すことができる材質のもので、透明な合成樹脂が典型的なものである。
前記スクリーン部と前記暗室部は、前記スクリーン部の各側面の何れかの底辺と共通する共通辺により一体的に構成されており、略四角錘体を形成させる各側面の何れの底辺を共通辺にすることができる。
【考案の効果】
【０００８】
本考案のキットによれば、前記スクリーン部は、各側面を各斜辺に沿って折り曲げて、略四角錘体を形成する際に、接続する斜辺の接続片を受入片に係合させて作ることができる。また、前記暗室部は、両側面及び背面を上面の側辺及び前記対向辺に沿って折曲げて、背面と各側面を接続する接続片を受入片に係合させて作ることができる。
そして、前記暗室部と前記スクリーン部は、前記共通辺により一体的に構成されているので、その共通辺に沿って、前記スクリーン部を前記暗室部に折下げて収容することができる。
よって、本考案ではカッター等の刃物を用いることなく、映像表示装置を手軽に作れることができるキットを提供することができる。
【図面の簡単な説明】
【０００９】
【図１】図１は、本考案に係るキットを表示装置に載せた状態の斜視図、
【図２】図２は、同キットの展開図、
【図３】図３は、同キットを構成するスクリーン部と、表示装置の画面との位置関係を示す同キットの要部平面図である。
【考案を実施するための形態】
【００１０】
本考案に係るキット１の構成例を図面に基づいて詳細に説明する。
該キット１は、図１〜図３に示したように、映像として三次元映像４を表示させる表示装置としてのスマートフォン５の画面５０の略中心に載せられ、透明なプラスチックで形成されると共に、その映像を反射させるスクリーン部２と、前記スクリーン部２を収容する空間３０を形成する上面３１、両側面３２，３３及び背面３４を備え、且つ、前記スマートフォン５の画面５０を臨ませるための面（底面領域）３５及び前記スクリーン部２で反射された映像を臨ませるための面（正面領域）３６が切欠けられる暗室部３を備えている。
【００１１】
前記スクリーン部２は、図２のように、前記画面５０に載せられる頂部開口２０（図１及び図３参照）を備えた略四角錘体を形成させる台形状の第１〜第４の各側面２１〜２４と、第１〜第４の各側面２１〜２４の各斜辺２２０，２３０，２４０に沿って折まげられて略四角錘体が形成される際に、両端の第１側面２１及び第４側面２４同士の斜辺２１０を接続する接続片２５及びこれを受入れる受入片２６を備えている。
【００１２】
前記暗室部３は、前記第２側面２２の底辺２２１と共通する共通辺３１０、この共通辺３１０に隣接する各側辺３１１，３１２及び前記共通辺３１０に対向する対向辺３１３を備えた上面３１と、前記各側辺３１１，３１２に沿って折られる各側面３２，３３と、前記対向辺３１３に沿って折られる背面３４と、この背面３４と各側面３２，３３を接続する接続片３７，３７及びこれらを受け入れる受入片３８，３８を備えている。
前記各側面３２，３３には、前記暗室部３を前記マートフォン５の画面５０に安定的に載せることできるように、段差部３２０，３３０が形成されている。
【００１３】
なお、前記スクリーン部２の斜辺２２０，２３０及び２４０には、折り曲げ易いように、ミシン目を形成してもよいし、また前記底辺２２１（共通辺３１０）には、折り曲げ易いように、スリットを形成してもよい。
【００１４】
前記スクリーン部２及び前記暗室部３は、映画館になぞらえもので、前記スクリーン部２で反射された映像を臨ませるために切欠けられる正面領域３６が、恰も客席に開口されているようになっている。
これらの前記スクリーン部２及び前記暗室部３は、折り曲げ易い透明な材料、例えば薄いプラスチックを打抜いて構成され、暗室部３を黒色で塗装して構成されている。
【００１５】
かかる構成のキット１を組み立てるには、次の手順による。
前記スクリーン部２の組立又は前記暗室部３の組立
前記スクリーン部２の第１〜第４の各側面２１〜２４を各斜辺２２０，２３０，２４０にそって折り曲げて、前記斜辺２１０の接続片２５を受入片２６に係合させる。
前記暗室部３の上面３１の各側辺３１１，３１２及び対向辺３１３に沿って、両側面３２，３３及び背面３４を折曲げて、背面３４と両側面３２，３３の垂辺３２１，３３１，３４０，３４０同士を接続するために、接続片３７，３７を受入片３８，３８のスリット３８０，３８０に差し込む。
なお、これらの前記スクリーン部２の組立又は前記暗室部３の組立に先後はない。
【００１６】
前記スクリーン部２の前記暗室部３へのセット
上述のように組立てられた前記スクリーン部２を共通辺３１０に沿って前記暗室部３の空間３０に折入れる。
【００１７】
組み立てられたキット１は、前記スクリーン部２の前記第１、第３及び第４の各側面２１，２３，２４の底辺２１１，２３１，２４１が前記暗室部３の上面３１の各側辺３１１，３１２及び対向辺３１３に重なり合うようにセットされ、前記スクリーン部２に閉鎖された閉鎖空間２７（図１参照）が形成される。
また、前記スクリーン部２の前記第２側面２２は、前記スマートフォン５の画面５０に対して、略４５度に傾斜してセットされる（図１参照）。
【００１８】
かかる構成のキット１の使用例を、図３に基づいて説明する。
前記スマートフォン５の画面５０に三次元映像４を表示させる。
図３では、三次元映像４として、ＵＦＯをモチーフとした画像で、且つ、略同一の４つの画像が、前記画面５０の略中央を中心にして各９０度の方向に表示されている。
前記暗室部３の各側面３２，３３に形成されている段差片３２０，３３０をスマートフォン５の側部にセットし、前記頂部開口２０を画面５０の略中央にセットして、前記映像４が前記スクリーン部２の第２側面２２で反射されるように、前記頂頭部２０の位置を調整する。
即ち、図３のように映像４の下端４０が、前記頂頭開口２０に飲み込まれていなければ、その映像が前記スクリーン部２の第２側面２２で反射され、視聴者は、映像４のＵＦＯの浮遊感を楽しむことができる。
【００１９】
なお、前記画面５０に表示させる画像は、前記スクリーン部２の前記第２側面２２に反射させるために、１画像でもよい。
【００２０】
本キット１の作用効果は、次の通りである。
（１）  前記スクリーン部２は、その接続片２５と受入片２６を係合させることで、また前記暗室部３は、接続片３７，３７を受入片３８，３８のスリット３８０，３８０に差込むことで組み立てられ、その後、前記スクリーン部２を共通辺３１０に沿って前記暗室部３の内側に折入れることで、完成させることができ、接着剤や刃物が不要である。
（２）  前記スクリーン部２、前記暗室部３の上面３１及び前記画面５０とで、閉じられた閉鎖空間２７が形成され、その閉鎖空間２７は透視できることから、前記第２側面２２に反射された映像４は、恰も前記画面５０の各９０度の方向に表示されている４つの各映像４が、前記空間２７内の真中に閉じ込められて存在しているように視聴させることができる。
（３）  前記スクリーン部２及び前記暗室部３は、映画館等のシアターになぞらえるもので、前記スクリーン部２が前記暗室部３により暗くされているので、周囲が明るくても、映像がよく見え、また、前記スクリーン部２で反射された映像を臨ませるために切欠けられる正面領域３６が、恰も客席に開口されているようになっている。
（４）  前記暗室部３は、黒色で塗装されているので、正面領域３６からは、映像４が視認し易くなっている。
（５）  前記暗室部３の内側には、印刷を施すことで、シアターらしさを演出することができる。
【００２１】
本考案は以上説明した実施形態に限定されるものではなく、多くの変形が本考案の技術的思想内で当分野において、通常の知識を有する者により可能である。
【符号の説明】
【００２２】
１  キット（映像表示装置）
２  スクリーン部
２０  頂部開口                          ２１〜２４  第１〜第４の各側面
２１０，２２０，２３０，２４０  斜辺
２５  接続片                            ２６  受入片
２７  閉鎖空間
２１１，２２１，２３１，２４１  底辺
３  暗室部
３０  空間                              ３１  上面
３２，３３  両側面                      ３４  背面
３５  底面領域                          ３６  正面領域
３７  接続片
３８  受入片
３１０  共通辺                          ３１１，３１２  側辺
３１３  対向辺
３２０，３３０  段差部
３２１，３３１，３４０，３４０  垂辺
３８０，３８０  スリット
４  映像                                ４０  映像の下端
５  スマートフォン
５０  画面
【図１】
0003203294.tif 000003
【図２】
0003203294.tif 000004
【図３】
0003203294.tif 000005